(57)【要約】【課題】収納部の天板の一側縁に可動板を開閉自在に取り付け、この可動板を水平状態に支持する支持脚を拡開，格納自在に設けた折り畳みデスクにおいて、使用が簡単で、優れた収納形態を得ることを目的とする。【解決手段】広面板によって形成される箱型収納部と、一側縁に折畳み自在に枢支される可動広面板と、可動広面板を水平に支持できるフラット天面を折畳んだ状態にさせる格納位置との間で回動する回転できるキャスタ付支持脚とを備えるとともに、前記収納部の内部を棚状にして、下面と支持脚の下端部にキャスタを取付け移動可能に形成した折り畳みデスクであって、前記支持脚は前記収納部の可動広面板に回動自在に挾着され、この挾着が外れない程度に上下方向にスライド可能に遊嵌されている折り畳みデスクである。【選択図】図４
0003178672.tif 000002
【実用新案登録請求の範囲】
【請求項１】
天板と側板とで挾持される二枚の広面板によって形成される箱型収納部と、該箱型収納部の一枚の広面板に折畳み自在に蝶支される可動広面板にして、該収納部に取り付けた可動広面板を水平に支持できるフラット天面板を形成させる拡開位置と可動板の支持を解いて折畳んだ状態にさせる格納位置との間で回動・回転できるキャスタ付支持脚とを備えるとともに、前記収納部の固定広面板内部に棚状を設けて、収納部の下面と支持脚の下端部にキャスタを取付けた移動可能に形成した折り畳みデスクであって、前記支持脚は前記収納部の可動広面板に回動自在に持着され、このフラット天面板の蝶着が折り畳み的に上下連動可能に設置されて、該支持脚を格納位置に収納できるようになっていることを特徴とする折り畳みデスク。
【請求項２】
前記支持脚は、箱型収納部の天板と両側板とに挾持される両広面板の一つである可動広面板の一端部の下部にキャスタ付き支持脚を取り付けて、当該広面板の上部に可動フラット天面板を水平に略長方形面体で固定できるようにコ字、また横Ｕ字型の支持フレーム体と、可動フラット天面板の他端裏面に逆Ｌ字枠体とを蝶着されていることを特徴とする請求項１記載の折り畳みデスク。
【請求項３】
前記箱型収納部は、天板と二枚の側板二枚の広面板とからなる長方形箱体であって、内部に収納可能な二〜三段の棚をもっており、可動広面板に取り付けた可動フラット天面板を水平に保持して、本体自体をデスクとして、及び収納部として活用できるようにしていることを特徴とする請求項１又は請求項２に記載の折り畳みデスク。
【請求項４】
箱型収納部の大きさは、幅２００〜３００ｍｍで、縦７００〜１２００ｍｍ、横７００〜１２００ｍｍの長方体であって、該箱型収納部に取り付けた可動広面板に蝶番によって折り畳み的上下連動可能に設置されて、水平に支持できるフラット天面板は、可動広面板の上部から１００〜３００ｍｍの位置で、縦６００〜１０００ｍｍ、横４００〜８００ｍｍの略長方形の平面状板であることを特徴とする請求項１〜請求項３のいずれかに記載の折り畳みデスク。
【請求項５】
該箱型収納部に取り付けた可動広面板を水平に支持できるフラット天面板を使用するにおいて、折畳んだ状態にさせる格納位置との間で回動・回転できる直径４０〜８０ｍｍのキャスタ付支持脚は、高さ５００〜１０００ｍｍ、幅３００〜５００ｍｍの支持形状の板盤であり、前記片側収納部の内部は、収納可能な二〜三段の奥行き２００〜３００ｍｍの棚を内設されていることを特徴とする請求項１〜請求項４のいずれかに記載の折り畳みデスク。
【考案の詳細な説明】
【技術分野】
【０００１】本考案は、使用しないときには天板を折畳んだ状態で収納できる折り畳みデスクに関する。
【背景技術】
【０００２】従来この種の折り畳みデスクとして、２分割された天板の可動側を水平状態に支承する支持脚が、角枠部と横杆より構成され、横杆の一端において抽斗を備えた収納部の後部に回動可能に取着されることにより、少なくとも天板を支承する拡開位置から、収納部の前面開口と角枠部が重合する格納位置まで回動する折り畳みデスクを形成したものである（特許文献１参照）。【０００３】また、収納部及び支持脚の底部にキャスタを取り付けて移動自在に構成したものも提案されている（特許文献２参照）。
収納部の天板の一側縁に可動板を開閉自在に取り付け、この可動板を水平状態に支持する支持脚を拡開，格納自在に設けた折り畳デスクにおいて、部品，工数を軽減し、優れた収納形態を得ることを目的として、支持脚の支軸部を収納部の天板と底板との間に上下動可能に遊嵌して、支持脚を格納した状態で、支持脚のキャスタが接地しないように担架する係止部材を設け、移動時の走行性を向上した折り畳みデスクが提案されている（特許文献３参照）。【０００４】机の機能を一体化し、その搬送、設置を容易にするとともに保管時において省スペース化を図れる折り畳みテーブルを提供することを目的として、パネルの両側縁の少なくとも一方から前方に延設される側パネルとから成るパーテーションであり、前記後パネルに対して略水平な使用状態と、前記パネルに対して対向しかつ床面に対して略垂直な状態との両態様に配置可能であり、天板を略垂直状態でパネルに係止できる天板係止手段を有する折り畳みデスクが提案されている（特許文献５参照）。【０００５】コンパクトに折畳むことにより移動、運搬、収納に極めて便利であるデスクを提供し、特に、折畳み構造が簡単でスムーズに移動することができることを目的として、下端にキャスタ等の移動手段を設けたパネル状の側面部材の２枚を、立設姿勢で間に中間部材を介して平面から見て見開き状に開閉自在に連結すると共に、前記両側面部材を所要角に開き天板部材を水平に起してその他側端を他方の側面部材の内面に支持させることによりデスクの組立状態を形成し、両側面部材同士を閉じ合せることによりこのデスクの折畳み状態を形成するようにした折畳みデスクが提案されている（特許文献４参照）。【０００６】回動可能とした脚により天板を支持する構造の折り畳み机において、乗せ置かれる天板を適正に支持する位置まで脚を引き出しても、天板が乗せ置かれるまでは床面に接触しないようにし、この折り畳み机を設置した床面に、脚の回動による擦り傷を生じさせないものが提案されている（特許文献６参照）。
【先行技術文献】
【特許文献】
【０００７】
【特許文献１】実公昭６３−１０７４８号公報
【特許文献２】実開昭５８−４３２３９号公報
【特許文献３】特開平１０−１１７８４９号公報
【特許文献４】特開２００２−７８５３１号公報
【特許文献５】特開２００２−１０１９５７号公報
【特許文献６】特開２００９−１９５３９９号公報
【考案の概要】
【考案が解決しようとする課題】
【０００８】ところで、このような折り畳みデスクでは、支持脚を収納部に回動自在に取り付けるため、部品点数が多く、コストアップ，工数アップの原因となっていた。
しかもこの部分の組立性が製品バランスを左右するので、製造過程における精度が要求され、手数のかかるものとなっていた。【０００９】また、上記したように支持脚及び収納部にキャスタを取り付けて移動自在にしたものにあっては、天板を折畳み、支持脚を格納した状態で移動した場合、支持脚のキャスタと収納部のキャスタによって、例えば二輪走行の状態となり、方向性が定まらずスムーズな移動が行なえないという問題を有していた。そこで、本発明は部品点数を削減するとともに、且つ簡単にスムーズな移動、組み立てが行なえる折り畳みデスクを提供することを課題する。
【課題を解決するための手段】
【００１０】天板と側板とで挾持される二枚の広面板によって形成される箱型収納部と、該箱型収納部の一枚の広面板に折畳み自在に蝶支される可動広面板にして、該収納部に取り付けた可動広面板を水平に支持できるフラット天面板を形成させる拡開位置と可動板の支持を解いて折畳んだ状態にさせる格納位置との間で回動・回転できるキャスタ付支持脚とを備えるとともに、前記収納部の内部を棚状にして、収納部の下面と支持脚の下端部にキャスタを取付けた移動可能に形成した折り畳みデスクであって、前記支持脚は前記収納部の可動広面板に回動自在に持着され、このフラット天面板の蝶着が折り畳み的に上下移行可能に設置されて、該支持脚を格納位置に収納できるようになっている折り畳みデスクである。【００１１】前記キャスタ付支持脚は、箱型収納部の天板と両側板とに挾持される両広面板の一つである可動広面板の一端部の下部にキャスタを取り付けて、上部に可動フラット天面板を水平に保持するキャスタ付き支持フレーム体とを連結して上面を略長方形面体に形成され、該キャスタ付支持脚の他端部でフラット天板裏面に逆Ｌ字枠体を蝶着している。フラット天面板を安定にするために、両端に折り畳み可能なキャスタ付支持脚と支持体を取り付けた。【００１２】前記箱型収納部は、天板と側板と広面板とからなる長方形箱体であって、内部に収納可能な二〜三段の棚をもっており、可動広面板に取り付けた可動フラット天面板を水平に保持して、本体自体をデスクとして、及び収納部として活用できるようにしている。使用する木材は無垢板、ＭＤＦ，でもよいが、軽量で移動を容易にすることから、軽量の木材が好ましい。またフラッシュ材は適している。【００１３】箱型収納部の大きさは、幅２００〜３００ｍｍで、縦７００〜１２００ｍｍ、横７００〜１２００ｍｍの長方体であって、該箱型収納部に取り付けた可動広面板を水平に支持できるフラット天面板は、上部から１００〜３００ｍｍの位置で、縦６００〜１０００ｍｍ、横４００〜８００ｍｍの長方形の平面状板である。可動広面板とフラット天面板とキャスタ付支持脚と支持体には各二カ所蝶番を付けて折り畳みが可能にしている。使用する蝶番は通常のものでよい。【００１４】該箱型収納部に取り付けた可動広面板を水平に支持できるフラット天面板を使用するにおいて、折畳んだ状態にさせる格納位置との間で回転できる直径４０〜８０ｍｍのキャスタ付支持脚として、高さ５００〜１０００ｍｍ、幅３００〜５００ｍｍの支持形状の板盤であって、前記片側収納部の内部として、収納可能な二〜三段の奥行き２００〜３００ｍｍの棚を内設されている折り畳みデスクである。
【考案の効果】
【００１５】以上のように本考案は構成され、事務用および勉学用デスクとして、収納部の天板と側板と平面板の間に支持脚を回動自在に持着するようにしたので、支持脚用に蝶番回転支持部材のみによって、部品点数が少なくてすみ、組立工数の削減、製造精度の緩和が実現される。また、可動広面板のフラット天面板を折畳んだ状態での移動時に支持脚のキャスタが作用しなくなるので、スムーズな移動が可能になり収納も簡単に可能である。【００１６】また、天板と底板と広面板に挾持される支持脚の支軸部は、下端を底板の取付され、支持脚が格納位置にあり、コの字型にしているので使用に使用者の脚を自由に移動ができるようになっている。そのために使用が便利で、軽量で簡単に移動が可能である。また収納時に置物台としても部屋の隅において使用ができる。さらに収納部の天板で、移動時の把手がわりと簡単にできることから便利である。
【図面の簡単な説明】
【００１７】
【図１】折り畳みデスクの使用時の状態図
【図２】折り畳みデスクの収納時の状態図  Ａ：斜視図  Ｂ：正面図  Ｃ：側面図
【図３】折り畳みデスクの収納棚と支持脚の図
【図４】折り畳みデスクでのデスク使用時の図
【図５】キャスタ付支持脚の図
【考案を実施するための形態】
【００１８】本考案によれば、可動板を水平状態に支持する支持脚が収納部の天板と底板の間に挾着されて、拡開位置から格納位置までの範囲で回動自在となる。また、収納部と支持脚の底部にはキャスタが取り付けてあるため、可動板を拡げた状態であっても折り畳んだ状態であっても移動が可能であり、しかも可動板を折り畳んだ状態での移動では、支持脚が係止部材に係止されることにより、支持脚のキャスタが接地しないようになり、移動がスムーズに行なえる。
【実施例１】
【００１９】以下、図面を用いて実施例について説明する。
図１、図２に示すように、材質として厚さ２０ｍｍのフラッシュ板で構成されている箱型収納部の大きさは、幅２５０ｍｍで、縦９００、横８００ｍｍの長方体であって、該箱型収納部に取り付けた可動広面板を水平に支持できるフラット天面板は、上部から１８０ｍｍの位置で、縦６８０ｍｍ、横４７０ｍｍの長方形の平面状板を使用した。【００２０】該箱型収納部に取り付けた可動広面板を水平に支持できるフラット天面板を使用するにおいて、折畳んだ状態にさせる格納位置との間で回転できる直径５０ｍｍのキャスタ付支持脚として、高さ７００ｍｍ、幅３００ｍｍで中心部に半円形状に切り抜いたコの字状の支持形状の厚さ２０ｍｍの板盤であって、前記片側収納部の内部として、図３に示すように収納可能な二段の奥行き２００ｍｍの桟付き棚と最上段に奥行き１３０ｍｍの棚を内設されている折り畳みデスクにした。【００２１】図５に示すように可動広面板とフラット天面板とキャスタ付支持脚と支持体には各二カ所蝶番を付けて折り畳みが可能にした。またキャスタ付き支持脚は、中心部を切り抜いてコの字型にしているので、デスクとして使用中使用者の脚を自由に回転できるようにした。
使用状態としては図４に示すが、棚には本、文房具などを置くことができ、机としてのフッラット台にはパソコンを置いて使用できる。また使用後は図２のようにして部屋の隅に置物台と使用することができた。
【実施例２】
【００２２】図１、図２に示すように、材質として厚さ２０ｍｍのフラッシュ板で構成されている箱型収納部の大きさは、幅３００ｍｍで、縦９００、横１２００ｍｍの長方体であって、該箱型収納部に取り付けた可動広面板を水平に支持できるフラット天面板は、上部から１５０ｍｍの位置で、厚さ２５ｍｍで、縦８００ｍｍ、横５００ｍｍの長方形の平面状板を使用した。【００２３】該箱型収納部に取り付けた可動広面板を水平に支持できるフラット天面板を使用するにおいて、折畳んだ状態にさせる格納位置との間で回転できる直径５０ｍｍのキャスタ付支持脚として、高さ７００ｍｍ、幅４００ｍｍで中心部に半円形状に切り抜いたコの字状の支持形状の厚さ２０ｍｍの板盤であって、前記片側収納部の内部として、図３に示すように収納可能な二段の奥行き２５０ｍｍの桟付き棚と最上段に奥行き２６０ｍｍの棚を内設されている折り畳みデスクにした。【００２４】図５に示すように可動広面板とフラット天面板とキャスタ付支持脚と支持体には各二カ所蝶番を付けて折り畳みが可能にした。またキャスタ付き支持脚は、中心部を切り抜いてコの字型にしているので、デスクとして使用中使用者の脚を自由に回転できるようにした。
使用状態としては図４に示すが、棚には本、文房具などを置くことができ、机としてのフッラット台にはパソコンを置いて使用できる。また使用後は図２−Ｃのようにして部屋の隅に置物台と自由に使用することができた。
【実施例３】
【００２５】図１、図２に示すように、材質として厚さ２０ｍｍのフラッシュ板で構成されている箱型収納部の大きさは、幅２５０ｍｍで、縦８００、横９００ｍｍの長方体であって、該箱型収納部に取り付けた可動広面板を水平に支持できるフラット天面板は、上部から１８０ｍｍの位置で、縦７５０ｍｍ、横５００ｍｍの長方形の平面状板を使用した。【００２６】該箱型収納部に取り付けた可動広面板を水平に支持できるフラット天面板を使用するにおいて、折畳んだ状態にさせる格納位置との間で回転できる直径５０ｍｍのキャスタ付支持脚として、高さ７００ｍｍ、幅４００ｍｍで中心部に半円形状に切り抜いたコの字状の支持形状の厚さ２０ｍｍの板盤であって、前記片側収納部の内部として、図３に示すように収納可能な二段の奥行き２５０ｍｍの桟付き棚と最上段に奥行き２１０ｍｍの棚を内設されている折り畳みデスクにした。【００２７】図５に示すように可動広面板とフラット天面板とキャスタ付支持脚と支持体には各二カ所蝶番を付けて折り畳みが可能にした。またキャスタ付き支持脚は、中心部を切り抜いてコの字型にしているので、デスクとして使用中使用者の脚を自由に回転できるようにした。
使用状態としては図４に示すが、棚には本、文房具、パソコンの部品などを置くことができ、机としてのフッラット台にはパソコンを置いて使用できる。
また使用後は図２のようにして部屋の隅に花瓶などの置物台と使用することができた。
【符号の説明】
【００２８】１．フラット天面板
２．広面板
３．天板
４．支持脚
５．キャスタ
６．支持体
７．蝶番
８．棚板
９．桟板
【図１】
0003178672.tif 000003
【図２】
0003178672.tif 000004
【図３】
0003178672.tif 000005
【図５】
0003178672.tif 000006
【図４】
0003178672.tif 000007